(57)【特許請求の範囲】
【請求項１】
弁装置における接続管(10)の開口端(10a)にパッキン(24)を介してパイプ(16)の開口端(16a)を突合わせた状態で、該接続管(10)とパイプ(16)とを接続手段により接続する管接続構造であって、
前記接続管(10)の開口端(10a)から所定深さで内部に形成された大径凹部(14)に、補助管(30,34)の本体部(30a,34a)が挿脱可能に挿入され、
前記本体部(30a,34a)の前記パイプ(16)を指向する端部に、該本体部(30a,34a)より小径で、前記接続管(10)の開口端(10a)から所定長さで突出する位置決め突部(32,36)が突設され、
該位置決め突部(32,36)に外嵌された前記パッキン(24)を介して前記接続管(10)の開口端(10a)とパイプ(16)の開口端(16a)とが突合わされると共に、
前記本体部(30a)の軸長が、前記大径凹部(14)の深さより所定長さ短かく設定されて、該本体部(30a)を大径凹部(14)に挿入配置したときに、本体部(30a)における位置決め突部(32)より外側の端部(30b)が、前記接続管(10)の開口端(10a)より内側に位置して、該端部(30b)と前記パッキン(24)との対向部に所要の隙間(38)が画成されるよう構成した
ことを特徴とする弁装置の管接続構造。
【請求項２】
前記位置決め突部(32,36)の先端部が前記パイプ(16)に挿入されるよう設定され、該位置決め突部(32,36)によりパイプ(16)の径方向への位置ズレを規制するよう構成した請求項１記載の弁装置の管接続構造。
【請求項３】
前記補助管(30)にフィルタ(26)が挿脱可能に挿入配置されている請求項１または２記載の弁装置の管接続構造。
【請求項４】
前記大径凹部(14)にフィルタ(26)が挿脱可能に挿入配置され、該フィルタ(26)に前記補助管(34)の大径凹部(14)への挿入端部を当接するよう構成した請求項１または２記載の弁装置の管接続構造。
【請求項５】
前記補助管(30)の内径は、前記パイプ(16)の内径とは異なるよう設定されている請求項１〜４の何れかに記載の弁装置の管接続構造。
【発明の詳細な説明】
【０００１】
【発明の属する技術分野】
この発明は、弁装置の管接続構造に関し、更に詳細には、弁装置の接続管とパイプとをパッキンを介して液密的に接続する弁装置の管接続構造に関するものである。
【０００２】
【従来の技術】
水道の如き外部給水系から水の供給を受け、その水を費消して所要の用途に供する装置として、洗浄機や製氷機等が挙げられる。これらの装置では、水道水を供給する給水パイプと、装置内部の所定部位に水道水を供給する配水管とを弁装置としての電磁弁を介して接続し、該電磁弁の弁作用下に必要量の水道水を所定部位に供給するよう構成されている。この電磁弁と給水パイプとの接続は、例えば図７に示す構造となっている。すなわち、電磁弁における入口側の接続管１０には、その外周に雄ネジ１２が螺設されると共に、内部には開口端１０ａから所定深さで大径凹部１４が形成されている。これに対して給水パイプ１６における接続管１０の開口端１０ａと対向する端部外周に、外径方向に延出する外側フランジ１８が全周に亘って形成されると共に、接続管１０の雄ネジ１２と螺合可能な雌ネジ２０を内周に螺設したユニオンナット２２が外装されている。このユニオンナット２２は、軸方向一端部に内側フランジ２２ａが形成されると共にその中央部には、前記給水パイプ１６の挿通は許容するが外側フランジ１８の挿通は阻止する通孔２２ｂが穿設してある。そしてこのユニオンナット２２は、その全面開放している開口部側(内側フランジ２２ａが形成される側とは反対側)を、前記接続管１０の開口端側に一致させると共に、内側フランジ２２ａが外側フランジ１８に対して接続管１０から離間する面に当接可能な状態で給水パイプ１６に外装してある。
【０００３】
前述した構造において電磁弁の接続管１０と給水パイプ１６とを接続する場合は、接続管１０の開口端１０ａと給水パイプ１６の開口端１６ａとを、リング状のパッキン２４を挟んで突合わせた状態で、前記ユニオンナット２２を接続管１０にねじ込むことで、接続管１０および給水パイプ１６の開口端１０ａ,１６ａがパッキン２４に圧接されて液密的に連通接続される。
【０００４】
なお、前述した各種装置に供給される水は、異物その他の挟雑物が混入していないことが要請され、そのために前記接続管１０の内部に異物濾去用のフィルタ２６が挿入配置される。このフィルタ２６は、前記大径凹部１４の内径より小さなドーム状に形成された本体２６ａの開放端部に、大径凹部１４の内径より大きな弾性部２６ｂを折曲形成してある。そして、弾性部２６ｂが大径凹部１４の内周面に弾力的に当接した状態で、大径凹部１４の奥側の段部２８に開放端が当接する位置までフィルタ２６を押込むことで、該フィルタ２６は大径凹部１４の定位置に配置されるようになっている。
【０００５】
【発明が解決しようとする課題】
前述した電磁弁の管接続構造では、リング状のパッキン２４を接続管１０の開口端１０ａと給水パイプ１６の開口端１６ａとの間に位置決めするに際し、該パッキン２４の径方向への位置ズレを規制する部材がないため、該パッキン２４を接続管１０と給水パイプ１６との間の適正位置に保持するのが難しく、径方向に位置ズレした状態で接続されてしまうことがある。また、ユニオンナット２２を接続管１０にねじ込んで該接続管１０と給水パイプ１６とをパッキン２４に圧接するまでは、該パッキン２４がズレ易く、ユニオンナット２２のねじ込み時に位置ズレしてしまう場合がある。このように、パッキン２４が適正位置からズレると、接続管１０の開口端１０ａとパッキン２４との当接部分が少なくなり、水漏れが生じ易くなる。またパッキン２４が大きくズレてしまうと、接続管１０の開口端１０ａにパッキン２４が当接しない部分を生じ、その部分から水漏れする問題を招く。
【０００６】
すなわち、前記接続管１０と給水パイプ１６との接続作業に際しては、前記パッキン２４が位置ズレしないように注意して作業を行なわなければならず、接続作業に時間が掛かると共に煩雑であった。
【０００７】
また、前記接続管１０と給水パイプ１６との接続作業に際して、給水パイプ１６が接続管１０に対して径方向に位置ズレすると、両者１０,１６の間でのパッキン２４の挟持が不完全となり、水漏れを起こし易くなる難点が指摘される。なお、前記フィルタ２６は、接続管１０における大径凹部１４の奥側に押込まれると共に、前記弾性部２６ｂが大径凹部１４の内周面に圧接されているため、該接続管１０の開口部側から簡単に取出して掃除することができなかった。
【０００８】
【発明の目的】
本発明は、従来の技術に係る弁装置の管接続構造に内在している前記欠点を好適に解決するべく提案されたものであって、パッキンの位置ズレを防止して確実な液密状態とし得ると共に、パイプの位置ズレ防止およびフィルタの取外しの容易化を図り得る弁装置の管接続構造を提供することを目的とする。
【０００９】
【課題を解決するための手段】
前記課題を解決し、所期の目的を達成するため、本発明に係る弁装置の管接続構造は、
弁装置における接続管の開口端にパッキンを介してパイプの開口端を突合わせた状態で、該接続管とパイプとを接続手段により接続する管接続構造であって、
前記接続管の開口端から所定深さで内部に形成された大径凹部に、補助管の本体部が挿脱可能に挿入され、
前記本体部の前記パイプを指向する端部に、該本体部より小径で、前記接続管の開口端から所定長さで突出する位置決め突部が突設され、
該位置決め突部に外嵌された前記パッキンを介して前記接続管の開口端とパイプの開口端とが突合わされると共に、
前記本体部の軸長が、前記大径凹部の深さより所定長さ短かく設定されて、該本体部を大径凹部に挿入配置したときに、本体部における位置決め突部より外側の端部が、前記接続管の開口端より内側に位置して、該端部と前記パッキンとの対向部に所要の隙間が画成されるよう構成したことを特徴とする。
【００１０】
【発明の実施の形態】
次に、本発明に係る弁装置の管接続構造につき、好適な実施例を挙げて、添付図面を参照しながら以下説明する。なお、図７を参照して従来の技術で説明した同一部材には、同じ符号を付して、詳細説明は省略する。
【００１１】
図１〜図３は、好適な実施例に係る管接続構造を示すものであって、弁装置としての電磁弁における入口側の接続管１０に、給水パイプ(パイプ)１６が接続手段を介して液密的に接続されるようになっている。この接続手段は、接続管１０の外周に螺設した雄ネジ１２と、給水パイプ１６に外装されたユニオンナット２２とから構成され、該ユニオンナット２２の雌ネジ２０を接続管１０の雄ネジ１２に螺合することで、接続管１０と給水パイプ１６とが連通接続されることは、前述した通りである。
【００１２】
前記接続管１０に形成した大径凹部１４には、筒状の補助管３０が挿脱可能に挿入されている。この補助管３０は、大径凹部１４の内径より僅かに小径に設定されて、該大径凹部１４に対して開口部側から挿脱可能な筒状の本体部３０ａを備え、該本体部３０ａの挿入端部を大径凹部１４の段部２８に当接することで位置決めされるようになっている。この本体部３０ａの軸長は、大径凹部１４の深さと略同一に設定されており、該本体部３０ａの給水パイプ１６を指向する端部には、本体部３０ａより小径の筒状突部(位置決め突部)３２が、接続管１０の開口端１０ａから外方に所定長さだけ突出するよう突設してある。なお、補助管３０を大径凹部１４に挿入配置した状態で、筒状突部３２と接続管１０との軸心が略一致するようになっている。また、実施例の筒状突部３２の長さ寸法は、前記リング状のパッキン２４の厚みと略同一に設定される。
【００１３】
前記筒状突部３２の外径は、前記パッキン２４の内径より僅かに小径に設定され、該筒状突部３２にパッキン２４を外嵌することで、該パッキン２４の径方向の位置決めがなされるよう構成される。すなわち、パッキン２４を筒状突部３２に外嵌した状態で、図１に示す如く、前記接続管１０における開口端１０ａの全面が、該パッキン２４の対向する面に当接するようになっている。なお、パッキン２４を挟んで接続管１０と給水パイプ１６とを突合わせて接続する際には、該パイプ１６が筒状突部３２の端部とは干渉しないよう設定されている。
【００１４】
前記補助管３０における本体部３０ａの内部には、前述したと同様の異物濾去用のフィルタ２６が挿入配置される。このフィルタ２６は、本体部３０ａの内径より小さなドーム状に形成された本体２６ａの開放端部に、本体部３０ａの内径より大きな弾性部２６ｂを折曲形成したものであって、弾性部２６ｂが本体部３０ａの内周面に弾力的に当接した状態で、該本体部３０ａにおける大径凹部１４への挿入端部側に挿入配置されている。なお、補助管３０を接続管１０の大径凹部１４に挿入したときに、前記フィルタ２６における開放端部が前記段部２８に当接し、該フィルタ２６の移動が規制されるようになっている。ちなみにフィルタ２６は、ステンレス材を網状に成形したものである。
【００１５】
【実施例の作用】
次に、実施例に係る電磁弁の管接続構造の作用につき説明する。電磁弁の接続管１０に給水パイプ１６を接続するに際しては、先ず前記補助管３０における本体部３０ａの内部に、前記フィルタ２６を弾力的に挿入配置する。この補助管３０を、接続管１０の大径凹部１４に挿入し、該凹部１４の奥側の段部２８に本体部３０ａの挿入端部を当接して位置決めする。このとき、前記フィルタ２６における開放端部も段部２８に当接し、該フィルタ２６の移動は規制される。
【００１６】
前記補助管３０の筒状突部３２は、接続管１０の開口端１０ａから所定長さだけ突出しており、この筒状突部３２に前記パッキン２４を外嵌することで、接続管１０の開口端１０ａに対するパッキン２４の位置決めがなされる。次いで、パッキン２４における接続管１０の開口端１０ａが当接する面とは反対側の面に、前記給水パイプ１６の開口端１６ａを当接した状態で、前記ユニオンナット２２を接続管１０にねじ込む。これにより、接続管１０の開口端１０ａと給水パイプ１６の開口端１６ａとがパッキン２４に圧接され、両者１０,１６は液密的に連通接続される。
【００１７】
前記パッキン２４は、補助管３０の筒状突部３２に外嵌することで径方向の位置決めがなされるから、接続作業に際して径方向に位置ズレすることはなく、接続管１０と給水パイプ１６との間の適正位置に保持される。また、ユニオンナット２２の接続管１０へのねじ込みに際してもパッキン２４が位置ズレすることはなく、従って接続管１０と給水パイプ１６との接続部に水漏れが発生するのを好適に防止し得る。しかも、パッキン２４が位置ズレするのを注意しつつ接続作業を行なう必要はないから作業性が良く、該接続作業を短時間で簡単に行なうことができる。更に、前記フィルタ２６は補助管３０に挿入配置されているから、給水パイプ１６を取外した接続管１０から補助管３０を取出すことで、該補助管３０およびフィルタ２６の掃除を簡単に行ない得る。
【００１８】
【変更例】
図４〜６は、管接続構造の変更例を示すものであって、基本的な構成は前述した実施例と同一であるので、異なる部分についてのみ説明する。すなわち、図４に示す第１の変更例に係る補助管３０では、その本体部３０ａの軸長が、大径凹部１４の深さより所定長さだけ短かく設定され、該大径凹部１４に本体部３０ａを挿入配置したときに、本体部３０ａにおける筒状突部３２より外側の端部３０ｂが、接続管１０の開口端１０ａより内側(大径凹部１４の内側)に位置するよう設定される。これにより、該端部３０ｂと前記パッキン２４との対向部に所要の隙間３８が画成され、該パッキン２４は接続管１０の開口端１０ａと給水パイプ１６の開口端１６ａとに確実に圧接されるようになっている。すなわち、補助管３０、接続管１０およびフィルタ２６等の寸法誤差、あるいはフィルタ２６の取付け位置のズレ等によっても、前記本体部３０ａの端部３０ｂが接続管１０の開口端１０ａより外方に突出することはなく、パッキン２４による確実な液密性が確保される。なお、第１の変更例における筒状突部３２の長さ寸法は、前記隙間３８分だけパッキン２４の厚みよりも長くなっている。
【００１９】
次に、図５に示す第２の変更例に係る補助管３０では、前記給水パイプ１６側の入口側内径部４０(フィルタ２６が挿入配置される部分を臨く部位)の内径を、該給水パイプ１６の内径に対して所定長さだけ小さく設定してある。これにより、給水パイプ１６から接続管１０へ供給される水の流量を減少し得るようになっている。すなわち、接続管１０に対して、入口側内径部４０の内径が異なる補助管３０を選択して挿入配置することで、接続管１０に供給される水の流量を調節することが可能となる。
【００２０】
更に、図６に示す第３の変更例の補助管３４では、該補助管３４の本体部３４ａを接続管１０の大径凹部１４に挿入配置した状態で、本体部３４ａの端部に突設した筒状突部(位置決め突部)３６の突出寸法が、前記パッキン２４の厚みより長くなるよう設定される。また筒状突部３６の外径は、前記給水パイプ１６の内径より僅かに小さく設定されており、パッキン２４から突出する筒状突部３６の先端部が該給水パイプ１６に挿入されるよう構成してある。
【００２１】
前記第３の変更例においては、前記接続管１０の大径凹部１４に挿入配置した補助管３４の筒状突部３６にパッキン２４を外嵌した後、前記給水パイプ１６を筒状突部３６の先端部が挿入されるように接続管１０に対向することで、該接続管１０に対して給水パイプ１６が適正位置に保持される。従って、接続管１０と給水パイプ１６とでパッキン２４を確実に挟持することができ、挟持が不完全となることでの水漏れの発生を未然に防止し得る。
【００２２】
なお第３の変更例では、図６に示す如く、前記フィルタ２６を大径凹部１４の内部に挿入配置する構成とし、補助管３４の挿入端部をフィルタ２６の弾性部２６ｂに当接することで該補助管３４の位置決めを行なうようにしたが、前述した実施例と同様に補助管３４における本体部３４ａの内部にフィルタ２６を挿入配置してもよい。また各変更例の構成は、これを単独で採用する他に、２つの構成を適宜に組合わせたり全ての構成を採用することが可能である。
【００２３】
実施例では、位置決め突部として筒状に形成されたものの場合で説明したが、本願はこれに限定されるものでなく、パッキンの径方向への位置ズレを規制し得るものであれば、例えば補助管の周方向に離間して突設した複数の突片から構成されるものであってもよい。また実施例では、電磁弁の入口側の接続管と給水パイプとを接続する場合で説明したが、出口側の接続管と配水管(パイプ)との接続に関しても同一の構造を採用することができる。更に弁装置としては、電磁弁に限らず他の型式の弁であってもよい。なお、弁装置により供給制御される液体は、水以外にジュースや他の飲料であってもよい。
【００２４】
【発明の効果】
以上に説明した如く、本発明に係る弁装置の管接続構造によれば、接続管に挿入配置した補助管の位置決め突部にパッキンを外嵌して位置決めするよう構成したので、接続作業中にパッキンが位置ズレするのを防止し、該接続部から液漏れが発生するのを未然に防ぐことができる。また、パッキンが位置ズレするのを注意しながら接続作業を行なう必要がないから、該作業を短時間で簡単に行ない得る利点がある。更に、補助管における位置決め突部より外側の端部とパッキンとの対向部に所要の隙間を画成するよう設定したことで、接続管の開口端とパイプの開口端とにパッキンを確実に圧接することができ、より確実な液密性を確保し得る。
【００２５】
前記補助管の位置決め突部をパイプに挿入するよう構成したことで、接続管に対してパイプが径方向へ位置ズレするのを防止することができ、パッキンの挟持が不完全となることでの液漏れの発生を未然に防ぐことができる。また、補助管にフィルタを挿入配置することで、補助管と共にフィルタを接続管から簡単に取出して掃除することが可能となる。なお、補助管の内径を、パイプの内径と異なるよう設定することで、流量調節が可能である。
【図面の簡単な説明】
【図１】  本発明の好適な実施例に係る管接続構造を示す縦断側面図である。
【図２】  実施例に係る管接続構造における補助管とパッキンおよびフィルタを一部切欠いて示す分解側面図である。
【図３】  実施例に係る管接続構造における補助管とパッキンおよびフィルタの分解斜視図である。
【図４】  第１の変更例に係る管接続構造を示す縦断側面図である。
【図５】  第２の変更例に係る管接続構造を示す縦断側面図である。
【図６】  第３の変更例に係る管接続構造を示す縦断側面図である。
【図７】  従来の技術に係る管接続構造を示す縦断側面図である。
【符号の説明】
１０ 接続管，１０ａ 開口端，１４ 大径凹部，１６ 給水パイプ(パイプ)
１６ａ 開口端，２４ パッキン，２６ フィルタ，３０ 補助管，３０ｂ 端部
３２ 筒状突部(位置決め突部)，３４ 補助管，３６ 筒状突部(位置決め突部)
３８ 隙間
【図１】
0003647719.tif 000002
【図２】
0003647719.tif 000003
【図３】
0003647719.tif 000004
【図４】
0003647719.tif 000005
【図５】
0003647719.tif 000006
【図６】
0003647719.tif 000007
【図７】
0003647719.tif 000008